(57)【要約】【課題】床暖放熱パネルのうちどのパネルに温水を供給するか等、施工時の無線床暖房リモコンとの組み合わせミスを防止すること。【解決手段】熱源１内の床暖系統設定手段９は、リモコン３と床暖放熱パネル２の組み合わせが重複した場合、リモコン３に警告表示指示を送信するとともに、受信したリモコン３は表示器１１に警告表示を行う。これによって、施工時の無線床暖房リモコンと放熱パネルの組み合わせ間違いを防止することができる。【選択図】　図１
2004132582.tif 000002
【特許請求の範囲】
【請求項１】
熱源機と、床に設置された複数個の床暖用の放熱パネルと、無線床暖房リモコンから構成され、前記熱源機は、前記放熱パネルに温水を循環供給する熱源制御手段と、前記無線床暖房リモコンとの無線通信を行う無線通信手段と、前記熱源制御手段と前記無線通信手段との間に介在して作用する床暖系統設定手段と、前記無線床暖房リモコンのＩＤ、放熱パネル番号及び無線床暖房リモコンとの組み合わせ情報を記憶する不揮発性メモリーを備え、前記無線床暖房リモコンは、表示器と、リモコン制御手段と、前記熱源機と無線通信を行うリモコン無線通信手段と、熱源のＩＤを記憶するリモコン不揮発性メモリーと、放熱パネル番号と無線床暖房リモコンの組み合わせを設定する設定スイッチを備え、前記床暖系統設定手段は、前記組み合わせ変更時に同一の放熱パネル番号が複数の無線床暖房リモコンで重複して設定された場合、無線床暖房リモコンに警告表示の指示をする無線床暖房制御装置。
【請求項２】
床暖系統設定手段は同一の放熱パネル番号が複数の無線床暖房リモコンで重複して設定された場合、後で設定された組み合わせ情報を有効として無線床暖房リモコンからの運転指示を受け、先に設定されていた組み合わせは無効として無線床暖房リモコンからの運転指示を無視する請求項１記載の無線床暖房制御装置。
【請求項３】
床暖系統設定手段は、同一の放熱パネル番号が複数の無線床暖房リモコンで重複して設定された場合、後で設定された組み合わせ情報が設定スイッチにより再度変更され、同一放熱パネル番号が複数の無線床暖房リモコンで設定されなくなった時、先に設定された組み合わせ情報を復活させ無線床暖房リモコンからの運転指示を有効とする請求項１記載の無線床暖房制御装置。
【請求項４】
床暖系統設定手段は、無線床暖房リモコンのＩＤ登録時に最大ＩＤ登録数を超えない場合は既にＩＤ登録されている無線床暖房リモコンと新しくＩＤ登録を行う無線床暖房リモコンの放熱パネル番号が重複していても、既にＩＤ登録されている無線床暖房リモコンのＩＤ消去は行わない機能を有する請求項１記載の無線床暖房制御装置。
【請求項５】
床暖系統設定手段は、無線床暖房リモコンのＩＤ登録時に最大ＩＤ登録数を超える場合、新しくＩＤ登録を行う無線床暖房リモコンと重複した放熱パネル番号を持つリモコンＩＤを消去し、新たなリモコンＩＤを記憶する機能を有する請求項１記載の無線床暖房制御装置。
【発明の詳細な説明】
【０００１】
【発明の属する技術分野】
本発明は、無線床暖房制御装置に関するものである。
【０００２】
【従来の技術】
従来この種の床暖房制御装置は、有線通信とするのが一般的であった。従来の床暖房制御システムは図６に示すように、たとえば、熱源機１から四つの放熱パネル２０ａ、２０ｂ、２０ｃ、２０ｄに温水弁２１ａ、２１ｂ、２１ｃ、２１ｄを介して温水往パイプ２２ａ、２２ｂ、２２ｃ、２２ｄが接続されており、温水戻パイプ２３は統合されて熱源機１へ接続されている。一方、床暖房リモコン２４ａ、２４ｂ、２４ｃ、２４ｄは、放熱パネル２０ａのある部屋に床暖房リモコン２４ａが、放熱パネル２０ｂのある部屋に床暖房リモコン２４ｂが、放熱パネル２０ｃのある部屋に床暖房リモコン２４ｃが、放熱パネル２０ｄのある部屋に床暖房リモコン２４ｄがそれぞれとりつけられ、熱源機１はたとえば床暖房リモコン２４ａの要求に応じて温水弁２１ａを開き放熱パネル２０ａを加熱する。すなわち、熱源機１内には、たとえば、４系統の床暖房を接続できる熱源機である場合、一つの床暖房リモコン接続端子に対し、それに連動して動作する温水弁接続端子が必ず一つあり、これらの組み合わせが４組あるということになっていた。この４組という組数は、熱源機の能力に応じて何組であっても構わない。
【０００３】
【発明が解決しようとする課題】
しかしながら、従来の床暖房制御システムでは、放熱パネルへの温水の供給をコントロールする温水弁の接続端子と、それに対応する床暖房リモコン接続端子につながる床暖房リモコンを間違いなく対応する床暖房パネルのある部屋につけなければならないという課題を有していた。すなわち、放熱パネル２０ａのある部屋に必ず床暖房リモコン２４ａをつけ、かつ、この放熱パネル２０ａにつながる温水往パイプ２２ａには温水弁２１ａがつながっていなければならないということであり、床下や壁内に埋設される温水配管や温水弁への配線、床暖房リモコンへの配線を、床暖房の系統数が多くなればなるほど系統ごとに間違いなく一致させるのはとても困難でありながら、これをもし、間違ったままで使用すると、床暖房リモコンの運転スイッチを入れても、その部屋の床が暖まらずに、隣の部屋の床が暖まるという重大な施工ミスとなってしまうという課題を有していた。
【０００４】
また、無線式の床暖房リモコンを使用した場合、施工時に熱源とリモコンを１対１で通信できるようにリモコンは熱源のＩＤコードを記憶し、熱源はリモコンのＩＤコードを記憶する作業、いわゆるＩＤ登録作業を行うが、この時、この作業に加えてどの無線床暖房リモコンがどの放熱パネルに対応するのかを設定してやる必要が有り、もしこの設定の方法が煩雑であると、設定を間違えたり、設定そのものを忘れてしまったりする。すると、有線通信リモコンと同様に床暖房リモコンの運転スイッチを入れても、その部屋の床が暖まらずに、隣の部屋の床が暖まるか全く床が暖まらないと言うことになり、やはり大きな課題であった。
【０００５】
また、複数の無線床暖房リモコンがある場合、同一放熱パネルを重複して複数の無線床暖房リモコンで設定してしまうことも考えられる。すると、複数の無線床暖房リモコンの操作で１つの放熱パネルが暖まってしまうことになり、ユーザーが意図しないのに、暖房運転が行われてしまう場合もあった。
【０００６】
【課題を解決するための手段】
上記課題を解決するために本発明は、熱源機と、床に設置された複数個の床暖用の放熱パネルと、無線床暖房リモコンから構成され、同一床暖パネルを複数の無線床暖房リモコンで組み合わせ設定してしまった場合、リモコンで警告表示を行い、施工者に組み合わせの変更を促すものである。
【０００７】
【発明の実施の形態】
本発明は、熱源機と、床に設置された複数個の床暖用放熱パネルと、無線床暖房リモコンから構成され、熱源機は、放熱パネルに温水を循環供給する熱源制御手段と、無線床暖房リモコンとの無線通信を行う無線通信手段と、無線床暖房リモコンのＩＤと放熱パネル番号と無線床暖房リモコンとの組み合わせ情報を記憶する不揮発性メモリーを備え、無線床暖房リモコンは表示器と、リモコン制御手段と、熱源機と無線通信を行うリモコン無線通信手段と、熱源のＩＤを記憶するリモコン不揮発性メモリーと、放熱パネル番号と無線床暖房リモコンの組み合わせを設定する設定スイッチを備え、組み合わせ変更時に同一の放熱パネル番号が複数の無線床暖房リモコンで重複して設定された場合、無線床暖房リモコンに警告表示の指示を行う床暖系統設定手段を備えたものである。そして、施工者に放熱パネル番号の重複設定を喚起し、設定の変更を促すものである。
【０００８】
また、床暖系統設定手段は同一の放熱パネル番号が複数の無線床暖房リモコンで重複して設定された場合、後で設定された組み合わせ情報を有効として無線床暖房リモコンからの運転指示を受け、先に設定されていた組み合わせは無効として無線床暖房リモコンからの運転指示を無視するものである。そして、複数の無線床暖房リモコンからの運転指示で同一の放熱パネルが暖まることがないようにするものである。
【０００９】
また、床暖系統設定手段は、同一の放熱パネル番号が複数の無線床暖房リモコンで重複して設定された場合、後で設定された組み合わせ情報が前記設定スイッチにより再度変更され、同一放熱パネル番号が複数の無線床暖房リモコンで設定されなくなった時、先に設定された組み合わせ情報を復活させ無線床暖房リモコンからの運転指示を有効とするものである。そして、一旦誤って同一の放熱パネルを複数の無線床暖房リモコンで設定しても、後で設定した組み合わせを修正すれば、先に設定していた組み合わせも全て正常に動作できるようにするものである。
【００１０】
また、床暖系統設定手段は、無線床暖房リモコンのＩＤ登録時に最大ＩＤ登録数を超えない場合は既にＩＤ登録されている無線床暖房リモコンと新しくＩＤ登録を行う無線床暖房リモコンの放熱パネル番号が重複していても、既にＩＤ登録されている無線床暖房リモコンのＩＤ消去は行わない機能を有するものである。そして、一旦誤って同一の放熱パネルを複数の無線床暖房リモコンで設定しても、先に登録していたリモコンのＩＤ登録をやり直す手間がないようにするものである。
【００１１】
また、床暖系統設定手段は、無線床暖房リモコンのＩＤ登録時に最大ＩＤ登録数を超える場合、新しくＩＤ登録を行う無線床暖房リモコンと重複した床暖パネル番号を持つリモコンＩＤを消去し、新たなリモコンＩＤを記憶する機能を有するものである。そして、無線床暖房リモコンの故障による交換時には同一の放熱パネルを複数の無線床暖房リモコンで重複して設定することのないようにするものである。
【００１２】
【実施例】
以下、本発明の実施例について図面を参照して説明する。
【００１３】
（実施例１及び２）
図１は、本発明の実施例１としての無線床暖房制御装置である。図１に基づいて、まず床暖放熱パネルの制御方法について説明する。１は熱源機、２ａ、２ｂはリビングルームやダイニングルームに敷設される床暖放熱パネルであり、３ａ、３ｂは無線床暖房リモコンである。無線床暖房リモコンでは運転スイッチ１０ａ、１０ｂを操作すると、リモコン制御手段１２ａ、１２ｂを介してリモコン無線通信手段１３ａ、１３ｂに運転要求が指示される。熱源機１にある無線通信手段６は無線床暖房リモコンのリモコン無線通信手段１３ａ、１３ｂから運転要求信号を受けると、熱源制御手段４に運転要求信号を送る。熱源制御手段４は運転要求信号を受けると要求信号を出したリモコンがどの放熱パネルと組み合わされているかを判断し、該当する床暖放熱パネルの開閉部５ａまたは５ｂを開け、温水を供給することで放熱パネルを暖め、暖房運転を行う。リモコンと放熱パネルの組み合わせ情報は不揮発性メモリー７に記憶されている。
【００１４】
熱源機１と無線床暖房リモコン３ａと無線床暖房リモコン３ｂは工場からは全く別々に出荷され、熱源機、リモコンそれぞれが出荷時から固有のＩＤコードを持っている。このＩＤコードは熱源機の不揮発性メモリー７とリモコン不揮発性メモリー１４ａ、１４ｂにそれぞれ記憶された状態で出荷されている。
【００１５】
そして施工現場で隣接する熱源機と混信することがないように、熱源機は対応するリモコンのＩＤコードを、逆にリモコンは対応する熱源のＩＤコードをそれぞれ記憶する必要がある。このＩＤコードをお互いに認識し合うために、リモコン登録スイッチ１５ａ、１５ｂと熱源登録スイッチ８をそれぞれ操作し、リモコン表示器１１ａ、１１ｂで熱源機のＩＤコードを確認しながら登録を行う。このＩＤ登録時に無線床暖房リモコン３ａ、３ｂと組み合わせる床暖放熱パネルの番号（２ａまたは２ｂ）も登録するのである。
【００１６】
また、リモコン設定スイッチ１６ａ、１６ｂをそれぞれ操作し、リモコン表示器１１ａ、１１ｂでパネル番号を確認しながら、ＩＤ登録完了後に無線床暖房リモコンと組み合わせるパネル番号のみを変更することも可能となっている。
【００１７】
次に図１、図２を用いて本発明の実施例について説明する。今、無線床暖房リモコン３ａのＩＤコードは０００１、組み合わされているパネル番号は２ａで組み合わせは有効となっている（ｓ１）。
【００１８】
ここで、ＩＤコード００１０の無線床暖房リモコン３ｂの設定スイッチ１６ｂを操作し、無線床暖房リモコン３ｂと組み合わせる放熱パネル番号を２ａに設定して（ｓ２）、熱源機に送信する。送信情報にはＩＤコード（０００１）とパネル番号（２ａ）が付加されている（ｓ３）。
【００１９】
これを受信した熱源機１では床暖系統設定手段９がＩＤコード０００１の無線床暖房リモコン３ａとＩＤコード００１０の無線床暖房リモコン３ｂが組み合わせている放熱パネル番号が共に２ａとなるため、先の組み合わせ情報であった無線床暖房リモコン３ａ（ＩＤコード０００１）の情報を無効とし、後で受信した無線床暖房リモコン３ｂ（ＩＤコード００１０）の情報を有効とする（ｓ４）。
【００２０】
以降、無線床暖房リモコン３ａから運転要求信号が来てもこれを無効とし、熱源制御手段４まで要求信号を送らず、熱源機１は無線床暖房リモコン３ａからの指示では動作しないようになる。
【００２１】
さらに、床暖系統設定手段９はパネル番号が重複していることを施工者に認知してもらうためエラー表示指示信号を無線床暖房リモコン３ｂに送信する（ｓ５）。無線床暖房リモコン３ｂではこのエラー表示指示信号を受け、表示器１１ｂに警告表示（Ｅｒｒ）を行う（ｓ６）。
【００２２】
尚、本実施例では警告表示を後で組み合わせ作業行ったリモコン３ｂに表示しているが、逆に無線床暖房リモコン３ａで運転指示操作を行った時に床暖系統設定手段９からエラー表示指示を送信し、警告表示を行うことも可能である。
【００２３】
また、設定スイッチは専用スイッチを設けず、運転スイッチや温度調整スイッチ等の通常運転で必要なスイッチの同時押しや長押しで実現することも可能である。
【００２４】
以上のように、施工者に放熱パネル番号の重複設定を喚起し、設定の変更を促すと同時に、複数の無線床暖房リモコンからの運転指示で同一の放熱パネルが暖まることがないようにするものである。
【００２５】
（実施例３）
次に本発明の実施例３について、データの流れを示した図３に基づいて説明する。今、ＩＤコード０００１の無線床暖房リモコン３ａとＩＤコード００１０の無線床暖房リモコン３ｂが組み合わせている放熱パネル番号が共に２ａとなるため、先の組み合わせ情報であった無線床暖房リモコン３ａ（ＩＤコード０００１）の情報を無効とし、後で受信した無線床暖房リモコン３ｂ（ＩＤコード００１０）の情報を有効としている状態である（ｓ７）。
【００２６】
この状態から無線床暖房リモコン３ｂで設定スイッチ１６ｂを操作し、放熱パネル番号を２ｂに変更して（ｓ８）、熱源機に送信する（ｓ９）。すると床暖系統設定手段９は以前に設定されている無線床暖房リモコン３ａと放熱パネル番号２ａの組み合わせを復活させ、以降の無線床暖房リモコン３ａからの運転指示を有効とする（ｓ１０）。
【００２７】
このように、一旦誤って同一の放熱パネルを複数の無線床暖房リモコンで設定しても、後で設定した組み合わせを修正すれば、先に設定していた組み合わせも全て正常に動作できるようにするものである。
【００２８】
（実施例４）
次に本発明の実施例４をデータの流れを示した図４に基づいて説明する。今、ＩＤコード０００１の無線床暖房リモコン３ａは放熱パネル２ａと組み合わされている。またＩＤコード００１０の無線床暖房リモコン３ｂは放熱パネル２ｂと組み合わされており、どちらも正常に動作可能な状態である（ｓ１１）。
【００２９】
この状態から新しい無線床暖房リモコン３ｃ（ＩＤコード０１００）がＩＤ登録され、同時にパネル番号を２ａに設定し（ｓ１２）、情報を熱源機１に送信した（ｓ１３）。熱源機の不揮発性メモリー７には最大３個までのリモコンＩＤコードが登録可能であり、３台目のリモコン登録は登録許容範囲内である。
【００３０】
すると、床暖系統設定手段９は先の組み合わせ情報であった無線床暖房リモコン３ａ（ＩＤコード０００１）の情報を無効とし、後で受信した無線床暖房リモコン３ｃ（ＩＤコード０１００）の情報を有効とするが、重複している無線床暖房リモコンのＩＤコード０００１を消去する（いわゆる登録抹消）ことは行わず記憶に保持しておく（Ｓ１４）。
【００３１】
以上のようにＩＤ登録時に一旦誤って他のリモコンと同一放熱パネル番号を設定し、後で設定間違いがあることに気づいて第３の実施例で示したようにパネル番号設定を変更した場合でも、先に登録していたリモコンのＩＤ登録をやり直す手間がなく、容易に全てのリモコンを正常動作させることができる。
【００３２】
（実施例５）
次に本発明の実施例５をデータの流れを示した図５に基づいて説明する。今、ＩＤコード０００１の無線床暖房リモコン３ａは放熱パネル２ａと組み合わされている。またＩＤコード００１０の無線床暖房リモコン３ｂは放熱パネル２ｂと組み合わされている。またＩＤコード０１００の無線床暖房リモコン３ｃは放熱パネル２ｃと組み合わされており、いずれも正常に動作可能な状態である（ｓ１５）。
【００３３】
また、熱源機の不揮発性メモリー７には最大３個までのリモコンＩＤコードが登録可能であり、既に最大登録数に達している状態である。この状態から新しい無線床暖房リモコン３ｄ（ＩＤコード１０００）がＩＤ登録され、同時にパネル番号を２ａに設定し（ｓ１６）、情報を熱源機１に送信した（ｓ１７）。
【００３４】
すると、床暖系統設定手段９は受信したパネル番号２ａと同じパネル番号を先に記憶している組み合わせ情報内から探し、同一パネル番号を持つ無線床暖房リモコン３ａ（ＩＤコード０００１）のＩＤコードとパネル番号を全て消去し、新たに受信した無線床暖房リモコン３ｄ（ＩＤコード１０００）とパネル番号２ａの組み合わせを有効とする。
【００３５】
このように、無線床暖房リモコンの故障による交換時には同一の放熱パネルを複数の無線床暖房リモコンで重複して設定することのないようにするのである。
【００３６】
【発明の効果】
以上の説明から明らかなように、本発明の無線床暖房制御装置は施工者に放熱パネル番号の重複設定を警告することで、設定の変更を促し、施工時の無線床暖房リモコンと放熱パネルの組み合わせ間違いを防止することができる。
【図面の簡単な説明】
【図１】本発明の実施例１及び２における無線床暖房制御装置のブロック図
【図２】同装置におけるデータフロー図
【図３】本発明の実施例３におけるデータフロー図
【図４】本発明の実施例４におけるデータフロー図
【図５】本発明の実施例５におけるデータフロー図
【図６】従来の無線床暖房制御装置の構成図
【符号の説明】
１　熱源機
２ａ、２ｂ　床暖放熱パネル
３ａ、３ｂ　無線床暖房リモコン
４　熱源制御手段
５ａ、５ｂ　開閉部
６　無線通信手段
７　不揮発性メモリー
８　登録スイッチ
９　床暖系統設定手段
１０ａ、１０ｂ　運転スイッチ
１１ａ、１１ｂ　表示器
１２ａ、１２ｂ　リモコン制御手段
１３ａ、１３ｂ　リモコン無線通信手段
１４ａ、１４ｂ　リモコン不揮発性メモリー
１５ａ、１５ｂ　リモコン登録スイッチ
１６ａ、１６ｂ　設定スイッチ
【図１】
2004132582.tif 000003
【図２】
2004132582.tif 000004
【図３】
2004132582.tif 000005
【図４】
2004132582.tif 000006
【図５】
2004132582.tif 000007
【図６】
2004132582.tif 000008